(57)【要約】【課題】車上鞘管の回転ケーブル台に巻かれている鞘管を牽引して情報ボックスの中へ通そうとする新設鞘管と既設鞘管との捩れを修正しながら、速やかに鞘管を情報ボックス内部への入り口で誘導して牽引し、規制時間の短縮、工事区間の減少、鞘管の品質を保証し効率的に敷き設工事を可能とする。【解決手段】鞘管の回転台を組み立て解体ができるようにして車上への積載を容易にすると共にその巻き取り枠を複数構成することを可能にして、車上に置かれ回転台の巻き取り枠に巻かれた複数の鞘管６を常時送り出し可能にし、牽引車上鞘管の巻き取り枠に巻かれている鞘管を情報ボックス１９内入り口に牽引補助機具を設置して軽く滑らかに牽引可能にし、牽引ロープ５により捩れ修正管２を牽引してこれに既設鞘管６’を通して情報ボックス１９の管路１へ通そうとする新設鞘管６と既設鞘管６’との捩れを修正しながら新設鞘管６を敷設する。【選択図】図１
0003102310.tif 000002
【実用新案登録請求の範囲】
【請求項１】
情報ボックス内部に既設の鞘管を捩れ修正管に通し、鞘管の捩れを修正する手段において、該捩れ修正管の管体に固定安定棒を装着し、その固定安定棒に撚り戻し器を介して管体の一方には牽引ロープを連結し、もう一方に撚り戻し器を介して残置パイロットロープを連結して、両ロープを管体に固定する該固定安定棒の装着位置が捩れ修正管の正面中央よりやや上部であることを特徴とする鞘管の捩れ修正管。
【請求項２】
捩れ修正管の両端部に固定安定棒を装着し、その一方の固定安定棒に撚り戻し器を介して牽引ロープを連結し、もう一方の固定安定棒に撚り戻し器を介して残置パイロットロープを連結して有ることを特徴とする請求項１に記載の捩れ修正管。
【請求項３】
捩れ修正管の底部を船形に形成し、その上部に形成した管体に装着した固定安定棒の一方に撚り戻し器を介して牽引ロープを連結し、もう一方に撚り戻し器を介して残置パイロットロープを連結して有ることを特徴とする請求項１に記載の捩れ修正管。
【請求項４】
捩れ修正管の管体に装着した固定安定棒の軸をパイプに通してあることを特徴とする請求項１乃至３のいづれかに記載の捩れ修正管。
【請求項５】
情報ボックス内部に既設の鞘管を捩れ修正管に通し、鞘管の捩れを修正する手段において、該捩れ修正管の横断面形状が楕円形又は円形である筒状管体若しくは船形の両端の角を取るため外周縁にアールを有するものであることを特徴とする請求項１乃至４のいづれかに記載の捩れ修正管。
【請求項６】
情報ボックス内部に新規に設置する鞘管を車上回転台にて巻き取り、巻き取り枠に巻き取った鞘管を情報ボックス内部へ引き込む手段において、回転台下方に車上引き留めフックを設け、回転台の中央部に軸部を直立して設け、該軸部の軸受を鞘管の巻き取り枠中央部に設け、鞘管の巻き取り枠を重ねて装着できる軸部に複数の巻き取り枠を有することを特徴とする車上組み立て式回転ケーブル台。
【請求項７】
回転台の中央部に直立して設ける軸部をその中央部に容易に着脱可能にし、該軸部に装着する軸受を巻き取り枠中央部に容易に着脱可能にし、巻取り枠の周囲に鞘管を巻き取って載置する載置棒を巻き取り枠に容易に着脱可能にしたことにより組み立て解体を容易にしたことを特徴とする請求項６に記載の車上組み立て式回転ケーブル台。
【請求項８】
情報ボックス内部に新規に設置する鞘管を車上にて回転台の巻き取り枠に巻き取り、巻き取った鞘管を情報ボックス内部へ引き込む手段において、回転台の中央部に直立して設けた軸部にガードパイプ固定金具支持台の軸受を設けて、巻き取り枠に巻き取られた鞘管を保護して自在に向きを変更可能にしたガードパイプ固定金具支持台にガードパイプを装着できるようにしたことを特徴とする請求項６又は７のいづれかに記載の車上組み立て式回転ケーブル台。
【請求項９】
組み立て式回転ケーブル台に巻き取った鞘管を損傷しないように情報ボックス内部へ引き込む手段において、情報ボックスの入り口にガイドローラを設けた枠体の中間部を上床版ハンドホールなどの縁に自在固定金具で設置して鞘管を傷つけないように情報ボックス内部へ牽引方向を変更可能にしたガイドローラーを枠体に備える牽引補助機具。
【請求項１０】
組み立て式回転ケーブル台に巻き取った鞘管を損傷しないように情報ボックス内部へ引き込む手段において、情報ボックスの入り口に設置される枠体の下方部を情報ボックス入り口の底部に配置した調整ジャッキーで設置するようにした請求項９に記載の牽引補助機具。
【考案の詳細な説明】
【技術分野】
【０００１】
本考案は、通信ケーブルを地下に敷設する場合情報ボックスの管路に鞘管を損傷させることなく引き込み、規制時間を短縮し、工事区間の縮小をして鞘管の敷設が容易になるようにする目的を有し、鞘管の捩れ修正管並びに車上組み立て式鞘管の供給回転ケーブル台及び鞘管の牽引補助機具に関するものである。
【背景技術】
【０００２】
（特許文献３）特開平８−１９１３８号公報における発明の名称「竹通しロット」は、管路に牽引ロープ（引き込みロープ）が存在しないとき、同管に新設のケーブル収容を行うときに既設のケーブルとのからみを無くする工具である。（特許文献２）特開平９−３０８０３６号公報における発明の名称「通線装置及び通線方法」は、上記竹通しロットと同じ目的に使用するものであり、これは通線器を使用せず空気流を使用した発明である。本考案は、管路内に残置パイロットロープがある場合で鞘管を増設する時に、捩れ修正管に既設鞘管を通してその後引き込まれる新設鞘管と既設鞘管との捩れを起こさなくさせる。鞘管の内部にケーブル収容管が存在するなら、捩れ修正管の形状を小さくしてあるものに、一回目にケーブル収容管を通し二回目に既設鞘管を完全通すことにより、既設鞘管と既設鞘管同士の捩れを修正する。  
【０００３】
（特許文献７）実開昭４９−８７９３号公報における考案の名称「架線用ウインチ」は、架空線巻き取り装置である。（特許文献４）実開平０６−３６９７１号公報にける考案の名称「電気機器ケーブルドラム搭載車両」は、ケーブルドラムからケーブル引き出し方向についての考案である。（特許文献５）実開平３−４８３１１号公報における考案の名称「ねん回挿入型ケーブルドラム架台」は、架空ケーブルの引き込み施工時の考案である。これに対して、本考案は、鞘管敷設工事時、鞘管を車上に搭載して移動開始から施工準備が可能となり、速やかに工事のために規制時間の短縮、車上に設置して作業区間の縮小、ガードパイプにて鞘管の品質保証を目的とする。鞘管を敷設するために、従来の施工方法は、施工場所へケーブル回転台を設置し、路上での施工を行っていた為に、大幅な規制時間、作業区間、鞘管の品質の問題が生じていた。
【０００４】
（特許文献６）実公昭４９−１５７５４号公報における考案の名称「ケーブルの付設工事に於ける滑車の引掛具」は、滑車引掛具であり工具の固定装置に関する。（特許文献１）特開平１０−１４０４０号公報における発明の名称「ケーブル敷設用ガイド装置」は、マンホールやハンドホール内で複数のガイド装置をセットしケーブルを誘導する。地下に埋設した管路に敷設するケーブルをマンホールやハンドホールの入り口から引き込む際に、ケーブルの損傷が問題であった。
本考案は、牽引補助を目的とし、マンホールやハンドホール等に取り付けてある管路位置に合わせてガイドローラの取り付けが出来る。また、マンホールやハンドホールの形状に合わせて取り付けが出来る取替え可能な伸縮装置があるので取り付け場所の広さに適応して固定が出来る。複数の既設ケーブル等が収容しているマンホールなどの作業においても牽引補助機具が固定され揺れ動かないので、作業時のケーブル損傷防止が可能となる。
【０００５】
ケーブル工事の問題の改善策として、特許文献１乃至７に表示する装置や方法がある。
【特許文献１】特開平１０−１４０４０号公報
【特許文献２】特開平９−３０８０３６号公報
【特許文献３】特開平８−１９１３８号公報
【特許文献４】実開平６−３６９７１号公報
【特許文献５】実開平３−４８３１１号公報
【特許文献６】実公昭４９−１５７５４号公報
【特許文献７】実開昭４９−８７９３号公報
【考案の開示】
【考案が解決しようとする課題】
【０００６】
解決しようとする問題点は、情報ボックスの内部に新規に鞘管を敷設する工事において、規制時間、工事区間（作業場所のスペース）、鞘管の損傷等が敷設工事の障害となることである。車上鞘管の回転台の巻き取り枠に巻かれている鞘管を牽引して情報ボックスの中へ通そうとする新設鞘管と既設鞘管との捩れを修正しながら、速やかに鞘管を情報ボックス内部への入り口で誘導して牽引し効率的に敷設工事をすることができない点である。
【課題を解決するための手段】
【０００７】
本考案は、鞘管を情報ボックス管路に敷設することを目的とする捩れ修正管及び車上組み立て式回転ケーブル台並びに牽引補助機具からなる。速やかに鞘管を情報ボックス内部への入り口で誘導して、鞘管を損傷させることなく牽引し効率的に敷設工事をすること可能とするため、鞘管の回転台に巻き取り枠を組み立て解体ができるようにして車上への積載を容易にすると共にその回転台に巻き取り枠を複数構成することを可能にして、車上に置かれる回転台の巻き取り枠に巻かれた複数の鞘管を常時送り出し可能にし、情報ボックス内入り口に牽引補助機具を設置して牽引補助機具により軽く滑らかに牽引車上鞘管の回転台に巻かれている鞘管を牽引して、捩れ修正管に既設の鞘管を通して情報ボックスの管路に残置のパイロットロープと既設鞘管の捩れ絡まりを修正し、しかる後に新設の鞘管を牽引して管路に誘導し敷設することを目的とする前記の捩れ修正管と鞘管の組み立て式回転ケーブル台と牽引補助機具のそれぞれを最も主要な特徴とする。
捩れ修正管は、情報ボックスのポリエチレン管内に入れてある既設鞘管を捩れ修正管に通して、捩れ修正管を牽引ロープで引いて既設鞘管に絡まっている残置のパイロットロープを解いて次いで新規な鞘管を牽引ロープで引き込むため、捩れ修正管の両側中央より上部に固定安定棒を設け、捩れ修正管の一方の固定安定棒にはに撚り戻器を介して牽引ロープを連結し、他方には撚り戻し器を介して残置パイロットロープを連結したものである。捩れ修正管の管体の断面の形状は、楕円形又は円形である。該管体は、情報ボックス内部の真っ直ぐな管路若しくは曲がった管路を通過させるために適宜な長さを有する筒状管体又は短い管体の底部に船形の滑り面を有する。捩れ修正管は、固定安定棒の上方部の重量よりその下方部の重量が大きく構成されていて、牽引の際に管体の倒れが復元し易くなるようにしている。さらに、管体の底部に適宜な錘を設けることによりその復元作用が容易になる。捩れ修正管は、フレキシブルな管体であっても良い。
組み立て式回転ケーブル台は、組み立て式回転ケーブル台より複数の鞘管を同時に引き出すようにするために、回転台とその軸部構成を回転台の中央部に軸部を垂直に着脱できるようにし、その軸部に差し込可能な軸受を有する複数の巻き取り枠と、巻き取り枠に鞘管を載置する載置棒の一端を着脱できるように設けて、回転台の中央部の軸部にガードパイプ固定金具の軸受を差し入れてガードパイプ固定金具にガードパイプを設置し、前記複数の巻き取り枠とガードパイプ固定金具は軸部の周りに回転する構成である。
牽引補助機具は、情報ボックス内入り口に設置して鞘管をガイドローラーにより滑らかに情報ボックス内へ引き込むために必要なものである。工事車上の回転台に巻かれている鞘管を情報ボックス入り口よりポリエチレン製管路内へ牽引補助機具により軽く滑らかに牽引するために、情報ボックス入り口に取り付ける枠体の側面に設けた複数の軸孔のそれぞれに上部ガイドローラーと下部ガイドローラーを取付けることができ、マンホールやハンドホール等の情報ボックスの入口の条件に応じて上下のガイドローラの間隔を調整可能にして、情報ボックスの入り口の上床版ハンドホールやマンホールの縁に自在固定金具で枠体の中間部を固定し、その下方部は調整ジャッキーで底部に取り付ける構成である。
【考案の効果】
【０００８】
本考案の捩れ修正管は、情報ボックスのポリエチレン管内に入れてある既設鞘管を捩れ修正管に通して、捩れ修正管を牽引ロープで引いて既設鞘管と新規な鞘管の捩れを修正するため、捩れ修正管の両側中央より上部に固定安定棒を設け、固定安定棒のそれぞれには撚り戻器を介して一方に牽引ロープ並びに他方に残置パイロットロープを締結したので、常に牽引ロープの牽引若しくは残置パイロットロープの引き戻しの操作が出来るので、既設鞘管と新設鞘管との捩れを修正しながら既設鞘管と新設鞘管の絡みを無くすることが出来るという利点がある。捩れ修正管を、短い管体にした場合やフレキシブルな管体にした場合には、情報ボックス管路内に在って曲がったところを通過させることにより捩れの有無を確認出来る。
【０００９】
本考案の組み立て式回転ケーブル台は、組み立て式回転ケーブル台より複数の鞘管を同時に引き出すようにするために、回転台とその軸部構成を工夫して回転台の中央部に着脱できる軸部を長くし、その軸部に軸受を差し込み複数の巻き取り枠を着脱できる。その巻き取り枠に鞘管を載置する載置棒の一端を着脱できるように設けてある。回転台の中央部に垂直に設けた軸部にガードパイプ固定金具の軸受を差し入れてガードパイプ固定金具にガードパイプを設置することが出来る。軸部のガードパイプ固定金具の上には、巻き取り枠を複数重ね入れ、軸部の周りに回転することが出来るようにしたので、車上に回転台を設置出来るようにした複数の巻き取り枠より鞘管を複数同時に引き出すことが出来る。このため複数の巻き取り枠により鞘管の敷設作業効率が良くなるので規制時間の短縮、車上から直接情報ボックスへ鞘管を引き込めるので作業区間の縮小、ガードパイプにより鞘管の品質の保持などが可能になる。
【００１０】
本考案の牽引補助機具は、情報ボックス内入り口に牽引補助機具を設置して、工事車上の回転台に巻かれている鞘管を情報ボックス入り口よりポリエチレン製管路内へ牽引補助機具により軽く滑らかに牽引するため、情報ボックス入り口に取り付けた枠体の上部軸と下部軸にガイドローラーを設け、ガイドローラーを取付けた枠体の側面に設けた複数の軸孔にガイドローラの軸を移動して取付けることができるようにしたので、マンホールやハンドホール等の情報ボックスの入口の大小の管路条件に応じて上下のガイドローラの間隔を調整可能であり、情報ボックスの入り口の上床版ハンドホールやマンホールの縁に自在固定金具で枠体の中間部を固定し、その下方部は調整ジャッキーで底部に取り付けることが出来て、管路へ鞘管が引き込まれる際に障害となる牽引補助機具が揺れたり動いたりすることによって鞘管が損傷する問題を解決しているので、大小いづれの情報ボックスにも使い分けられるという利点がある。
【考案を実施するための最良の形態】
【００１１】
本考案の技術的思想は、実施例において鞘管（通信ケーブル等を内包している。）を地下に敷設する場合情報ボックスの管路に引き込み、規制時間を短縮し、工事区間の縮小をして鞘管の敷設が容易になるようにする目的を、実施例１叉２はの捩れ修正管と実施例３の車上組み立て式回転ケーブル台及び実施例４の牽引補助機具により最小の部品点数で鞘管を損傷させることなく実現した。
【実施例１】
【００１２】
図１乃至図５は、本考案の捩れ修正管の実施例１を表示するものであって、  １は、マンホール若しくはハンドホールに連結される情報ボックス管、  ２は、管路の内部に既設の鞘管を通している捩れ修正管、  ３は、撚り戻し器、  ４は、捩れ修正管の一方固定安定棒に撚り戻し器を介して連結された残置パイロットロープ、  ５は、捩れ修正管のもう一方の固定安定棒に撚り戻し器を介して連結された牽引ロープ、  ６は、新設鞘管、  ６’は、既設鞘管、  ７は、捩れ修正管の左右に設けた固定安定棒、  ８は、捩れ修正管の曲面に当接された調整材、  ９は、固定安定棒を捩れ修正管に締結するナット、  １０は、捩れ修正管の周囲に設けられる胞縛バンドである。
【００１３】
図２、図３に基づいて捩れ修正管についてその構成を説明すれば、捩れ修正管２は、その管体の中に既設鞘管６’を通して管路を牽引して、既設鞘管と新設鞘管の捩れを修正するために使用される。標準的な該管体の大きさは、長さ３００ミリメートル、管の直径２００ミリメートルのポリエチレン管を使用している。修正管中央よりやや上部に設けた固定安定棒７を備え、固定安定棒７は管体の左右に設けられている。捩れ修正管２の断面形状は円形又はやや楕円形であるものが好ましく、情報ボックス管１の管路に捩れ修正管の底部及びわずかに側面を内接して牽引される。情報ボックス管１の管路と管路の継ぎ目は、わずかな段差があってそこに捩れ修正管２が躓いて止まらないようにするために、捩れ修正管２の管体の両端であって外周囲縁は角を取るためにアールが付けられている。捩れ修正管２の管体の曲面に当接して締結するためのナットがなじむように調整材８が、固定安定棒の端部にはめ込まれてナット９で固定安定棒７を曲面に締結している。その固定安定棒７の一方には撚り戻し器３を介して牽引ロープ５に連結され、もう一方は撚り戻し器３を介して残置パイロットロープ４に連結されている。捩れ修正管２の管体に既設の鞘管６’を通して、牽引ロープ５を引いて管路内を滑らせながら、既設鞘管に平行して新設鞘管を絡ませないように引き込んだり、情報ボックス館内を通過させることにより管内の点検作業が容易である。
【実施例２】
【００１４】
図６は、本考案の捩れ修正管の実施例２を表示するものであって、  ３４は、捩れ修正管の底部に形成した船形、  ３５は、船形の上部に形成した捩れ修正管の管体、  ３は、撚り戻し器、  ４は、捩れ修正管の固定安定棒に撚り戻し器を介して連結された残置パイロットロープ、  ５は、捩れ修正管の固定安定棒に撚り戻し器を介して連結された牽引ロープである。
【００１５】
実施例２は、捩れ修正管の底部を船形３４に形成し、その上部に形成した管体３５に装着した固定安定棒の一方に撚り戻し器を介して牽引ロープ５を連結し、もう一方に撚り戻し器を介して残置パイロットロープ４を連結して有ることを特徴とする。この場合に管体３５の幅より船形３４の幅が狭いために、捩れ修正管は情報ボックスの曲がった管路にも通りよく出来る。船形３４の両端部には角を取るためにアールを形成して、管路のつなぎ目で躓かないようにする。捩れ修正管の管体３５は、船形３４の中央上部に設け、管体の中央上部に設けた固定安定棒より下方部の船形が重いため管体が左右に転んでも起き上がりが容易である。
【実施例３】
【００１６】
図７乃至図９は、本考案の車上組み立て式回転ケーブル台の実施例を表示している。  １１は、回転台の巻き取り枠の鞘管を保護するガードパイプ、  １３は、鞘管の巻き取り枠を軸支している回転台、  ３０は、回転台の中央部に着脱可能に設けた軸部、  ３１ａ，３１ｂは、巻き取り枠の軸受、  ３２ａ，３２ｂは、巻き取り枠、  １４は、鞘管を保護するガードパイプを取付けるガードパイプ固定金具、  １５は、回転台を車上に安定させる車上引き留めラック、  １６，１７は、鞘管の巻き取り枠に着脱自在に取り付けた載置棒、  １８ａ，１８ｂは、回転台中央部の軸部に軸受を通したガードパイプ固定金具支持台、  １９は、情報ボックスである。
【００１７】
図７乃至図９に基づいて、車上組み立て式回転ケーブル台の構成について説明する。車上組み立て式回転ケーブル台は、回転台１３の四方に車上引き留めラック１５を設けて車上に安定させるようになっている。回転台１３の中央部には軸部３０が直立されており、軸部は回転台１３の中央部に着脱自在である。回転台中央部に着脱自在に直立した軸部３０には、先ず、ガードパイプ固定金具支持台１８ａの軸受３３が入り、次に一段目の鞘管の巻き取り枠３２ａの軸受３１ａが入り、更に二段目の鞘管の巻き取り枠３２ｂの軸受３１ｂが入って、巻き取り枠には載置棒１６，１７が巻き取り枠に着脱自在に取付けられている。ガードパイプ固定金具支持台１８ａには、この持台１８ａの金具先端に垂直にガードパイプ固定金具支持台１８ｂを着脱自在に取付けてある。そして、ガードパイプ固定金具１４が前記のガードパイプ固定金具支持台１８ｂに設けられている。
【００１８】
実施例３の車上組み立て式回転ケーブル台は、上記の構成により各部分を車上で組み立て、分解して運搬収納が容易である。巻き取り枠３２ａ，３２ｂに巻き取られた鞘管６は、そのままで工事現場へ運搬され、鞘管を牽引する時にガードパイプ１１に保護されて情報ボックス１９へ引き込まれるため鞘管の品質が保証される。また、車上組み立て式であるので工事スペースが少なくてすみ、工事場所を縮小しても工事用車両の駐車スペースで車上に回転台を置いたままで速やかに工事を続行することが出来る。このため工期を短縮することも可能になる。
【実施例４】
【００１９】
図１０乃至図１３は、本考案の牽引補助機具の実施例を表示している。  ２１は、  情報ボックス入り口のガイドローラー、  ２２は、    ガイドローラーの枠の上部を上から押さえてマンホール又はハンドホールの上版に固定する自在固定金具、  ２３は、    ガイドローラーの軸を取り付ける枠に設けた固定調整軸孔、  ２４は、    固定調整軸孔に設けたガイドローラー軸、  ２５は、    前記の自在固定金具とジャッキーで情報ボックスの入り口に設置される枠、  ２６は、    情報ボックス入り口のマンホール又はハンドホールの底部に設置した手動式調整ジャッキー、  ２７は、    枠下部に軸支した転式固定管に連結した差込式調整棒、  ２８は、    底部の広さに応じて差込調整棒の長さ調節用の差込調整溝、  ２９は、    ガイドローラー枠下部を固定するため同枠に軸支された回転式固定管である。
【００２０】
図１０、図１１、図１２、図１３に基づいて更に具体的に説明すれば、牽引補助機具はマンホール又はハンドホールの上版に固定する自在固定金具２２と底部に設置した手動式調整ジャッキー２６で情報ボックス１９の入り口に設置されている。枠２５の軸孔２３に取付けたガイドローラー２１は、下部のガイドローラー軸２４の固定調整軸孔２３を管路の位置まで移動させてある。車上組み立て式回転ケーブル台の巻き取り枠の鞘管６はガードパイプ１１に護られて情報ボックス１９の入り口の上部ガイドローラー２１により、方向を変えて入り口に引き込まれ、下部ガイドローラーにより更に方向を変えて管路１へ入る。  情報ボックス入り口のマンホール又はハンドホールの底部に設置した手動式調整ジャッキー２６は、回転式固定管２９に連結した差込式調整棒２７の長さ調整溝２８の位置調整により、底部の広さに設定された状態になっており、手動式調整ジャッキー２６のロッドの調整により枠２５の下部を底部に設置する。
【００２１】
実施例４の構成は、このような牽引補助機具を採用したので、マンホールやハンドホール等に取付けてある管路位置に合わせてガイドローラー軸２４を軸孔２３に取り付けが出来る。また取替え可能にして差し込み調整溝２８の位置変更により伸縮可能な差込式調整棒２７によりマンホールやハンドホールの形状に合わせて取り付けが出来る。牽引補助機具が情報ボックスの入り口に固定され揺れ動かないので、鞘管を損傷させることなく、従って、作業者には鞘管の品質を保証しながら、工事が速やかになり、規制期間を短縮する効果がある。
【産業上の利用可能性】
【００２２】
図１４に基づいて説明すれば、既設鞘管６’を捩れ修正管２に通して捩れ修正管に連結した残置パイロットロープ４を矢印で示す牽引方向へ引きながら、捩れ修正管２に連結した牽引ロープを用いて、次いで牽引ロープに連結した新設鞘管６を引き込み捩れが修正出来る。図１０に基づいて、情報ボックス１９の入り口に自在固定金具と手動調整ジャッキーで牽引補助機具の枠を取付けることによって揺れ動かず、鞘管６を情報ボックス１９へ牽引する際にガイドローラー２１で滑らかに回転してつかえる事無く牽引出来る。図７に基づいて、車上に設置した回転ケーブル台１３の複数巻き取り枠の載置棒１６，１７上の鞘管をガイドパイプ１１を通して損傷させずに速やかに情報ボックスの管１の内部へ引き込み敷設することが出来る。複数の既設鞘管の捩れを修正する場合にも、捩れ修正管に既設鞘管を通して既設鞘管同士の捩れを修正することも容易になり、また、鞘管の内部に通した既設ケーブルが収容されているマンホール等の作業においても、捩れ修正管の直径を小さくしたものを使用することにより既設ケーブルの捩れを修正可能である。牽引補助機具を使用し、捩れ修正管をトラフ管路にも使用することが可能である。
【図面の簡単な説明】
【００２３】
【図１】捩れ修正管の斜視図である。（実施例１）
【図２】同上正面図である。（実施例１）
【図３】同上側面図である。（実施例１）
【図４】同上詳細正面図である。（実施例１）
【図５】同上詳細側面図である。（実施例１）
【図６】捩れ修正管の斜視図である。（実施例２）
【図７】鞘管の組み立て式回転ケーブル台の実施状態を表示した説明図である。（実施例３）
【図８】鞘管の組み立て式回転ケーブル台の平面図である。（実施例３）
【図９】同上鞘管の組み立て式回転ケーブル台の側面図である。（実施例３）
【図１０】牽引補助機具の実施状態を表示した説明図である。（実施例４）
【図１１】情報ボックス入り口に設置の牽引補助機具の側面図である。（実施例４）
【図１２】同上牽引補助機具を詳細に表示した平面図である。（実施例４）
【図１３】同上牽引補助機具のＡ部拡大詳細図である。（実施例４）
【図１４】情報ボックス内部の鞘管の捩れ修正管の実施状態を表示した説明図である。（実施例１）
【符号の説明】
【００２４】
１    情報ボックス管
２    捩れ修正管
３    撚り戻し器
４    残置パイロットロープ
５    牽引ロープ
６    新設鞘管
６’    既設鞘管
７    固定安定棒
８    調整材
９    ナット
１０    胞縛バンド
１１    ガードパイプ
１３    回転台
１４    ガードパイプ固定金具
１５    車上引き留めラック
１６，１７    鞘管の載置棒
１８ａ，１８ｂ    ガードパイプ固定金具支持台
１９    情報ボックス
２１    ガイドローラー
２２    自在固定金具
２３    固定調整軸孔
２４    ガイドローラー軸
２５    枠
２６    手動式調整ジャッキー
２７    差込式調整棒
２８    差込調整溝
２９    回転式固定管
３０    軸部
３１ａ，３１ｂ    巻き取り枠軸受
３２ａ，３２ｂ    巻き取り枠
３３    ガードパイプ固定金具軸受
３４    捩れ修正管の底部に形成した船形
３５    管体
【図１】
0003102310.tif 000003
【図２】
0003102310.tif 000004
【図３】
0003102310.tif 000005
【図４】
0003102310.tif 000006
【図５】
0003102310.tif 000007
【図６】
0003102310.tif 000008
【図７】
0003102310.tif 000009
【図８】
0003102310.tif 000010
【図９】
0003102310.tif 000011
【図１０】
0003102310.tif 000012
【図１１】
0003102310.tif 000013
【図１２】
0003102310.tif 000014
【図１３】
0003102310.tif 000015
【図１４】
0003102310.tif 000016
【手続補正書】
【提出日】平成16年2月16日(2004.2.16)
【手続補正１】
【補正対象書類名】実用新案登録請求の範囲
【補正対象項目名】全文
【補正方法】変更
【補正の内容】
【実用新案登録請求の範囲】
【請求項１】
情報ボックス内部に既設の鞘管を捩れ修正管に通し、鞘管の捩れを修正する手段において、該捩れ修正管の管体に固定安定棒を装着し、その固定安定棒に撚り戻し器を介して管体の一方には牽引ロープを連結し、もう一方に撚り戻し器を介して残置パイロットロープを連結して、両ロープを管体に固定する該固定安定棒の装着位置が捩れ修正管の正面中央よりやや上部であることを特徴とする鞘管の捩れ修正管。
【請求項２】
捩れ修正管の両端部に固定安定棒を装着し、その一方の固定安定棒に撚り戻し器を介して牽引ロープを連結し、もう一方の固定安定棒に撚り戻し器を介して残置パイロットロープを連結して有ることを特徴とする請求項１に記載の捩れ修正管。
【請求項３】
捩れ修正管の底部を船形に形成し、その上部に形成した管体に装着した固定安定棒の一方に撚り戻し器を介して牽引ロープを連結し、もう一方に撚り戻し器を介して残置パイロットロープを連結して有ることを特徴とする請求項１に記載の捩れ修正管。
【請求項４】
捩れ修正管の管体に装着した固定安定棒の軸をパイプに通してあることを特徴とする請求項１乃至３のいづれかに記載の捩れ修正管。
【請求項５】
情報ボックス内部に既設の鞘管を捩れ修正管に通し、鞘管の捩れを修正する手段において、該捩れ修正管の横断面形状が楕円形又は円形である筒状管体若しくは船形の両端の角を取るため外周縁にアールを有するものであることを特徴とする請求項１乃至４のいづれかに記載の捩れ修正管。
【請求項６】
請求項１乃至５のいづれかに記載の捩れ修正管に連結した残置パイロットロープにより情報ボックス内部の既設の鞘管を捩れ修正管に通し、鞘管の捩れを修正する手段によって情報ボックス内部に引き込まれた牽引ロープにより、速やかに鞘管を情報ボックス内部への入り口で誘導して牽引して新規に設置するために、新規鞘管を車上回転台にて巻き取り、巻き取り枠に巻き取った鞘管を情報ボックス内部へ引き込む手段において、回転台下方に車上引き留めフックを設け、回転台の中央部に軸部を直立して設け、該軸部の軸受を鞘管の巻き取り枠中央部に設け、鞘管の巻き取り枠を重ねて装着できる軸部に複数の巻き取り枠を有することを特徴とする車上組み立て式回転ケーブル台。
【請求項７】
請求項１乃至５のいづれかに記載の捩れ修正管に連結して情報ボックス内部に引き込まれた牽引ロープに鞘管を連結して速やかに情報ボックス内部への入り口で誘導して牽引して新規に設置するために、新規鞘管を車上回転台にて巻き取り、巻き取り枠に巻き取った鞘管を情報ボックス内部へ引き込む手段において、回転台の中央部に直立して設ける軸部をその中央部に容易に着脱可能にし、該軸部に装着する軸受を巻き取り枠中央部に容易に着脱可能にし、巻取り枠の周囲に鞘管を巻き取って載置する載置棒を巻き取り枠に容易に着脱可能にしたことにより組み立て解体を容易にしたことを特徴とする請求項６に記載の車上組み立て式回転ケーブル台。
【請求項８】
情報ボックス内部に新規に設置する鞘管を車上にて回転台の巻き取り枠に巻き取り、請求項１乃至５のいづれかに記載の捩れ修正管に連結して引き込まれた牽引ロープを新規鞘管に連結して速やかに情報ボックス内部へ引き込む手段において、回転台の中央部に直立して設けた軸部にガードパイプ固定金具支持台の軸受を設けて、巻き取り枠に巻き取られた鞘管を保護して自在に向きを変更可能にしたガードパイプ固定金具支持台にガードパイプを装着できるようにしたことを特徴とする請求項６又は７のいづれかに記載の車上組み立て式回転ケーブル台。
【請求項９】
請求項１乃至５のいづれかに記載の捩れ修正管に連結して引き込まれた牽引ロープにより、組み立て式回転ケーブル台に巻き取った鞘管を速やかに情報ボックス内部への入り口で誘導して損傷しないように情報ボックス内部へ引き込む手段において、情報ボックスの入り口にガイドローラを設けた枠体の中間部を上床版ハンドホールなどの縁に自在固定金具で設置して鞘管を傷つけないように情報ボックス内部へ牽引方向を変更可能にしたガイドローラーを枠体に備える牽引補助機具。
【請求項１０】
請求項１乃至５のいづれかに記載の捩れ修正管に連結して引き込まれた牽引ロープにより、組み立て式回転ケーブル台に巻き取った鞘管を速やかに情報ボックス内部への入り口で誘導して損傷しないように情報ボックス内部へ引き込む手段において、情報ボックスの入り口に設置される枠体の下方部を情報ボックス入り口の底部に配置した調整ジャッキーで設置するようにした請求項９に記載の牽引補助機具。